【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
電子通信ネットワークに接続したユーザーへのアクセスを選択的に許可または拒絶するための方法であって：
電子通信ネットワーク上で送信者から送信者に関連付けられた識別子及び受信者に関連付けられた識別子を含むインバウンドメッセージを受信すること；及び、
前記インバウンドメッセージに関連付けられた少なくとも３つのセキュリティー状態の１つを決定することであって、第１セキュリティー状態がインバウンドメッセージのユーザーへの伝達の許可を示すものであり、第２セキュリティー状態がインバウンドメッセージのユーザーへの伝達の拒絶を示すものであり、第３セキュリティー状態がインバウンドメッセージのユーザーへの伝達の条件付許可を示すものであり、これら少なくとも３つのセキュリティー状態の各々がインバウンドメッセージに含まれる送信者識別子及び受信者識別子に関連付けられることを含む方法。
【請求項２】
受信者に関連付けられた識別子がユーザーによって事前に生成されたものであるか、そして受信者に関連付けられた識別子が複数のプロキシ識別子の中に存在しないかを決定することを更に含む、請求項１に記載の方法。
【請求項３】
受信者に関連付けられた識別子を前記複数のプロキシ識別子に加えることをさらに含む、請求項２に記載の方法。
【請求項４】
受信者識別子がユーザーによって生成されたかの前記決定が、受信者識別子の一部が複数のプロキシ識別子に含まれているかを決定するために受信者識別子の一部を分離することを含む、請求項２に記載の方法。
【請求項５】
前記インバウンドメッセージに第１のセキュリティー状態が関連付けられた場合に、前記インバウンドメッセージから受信者識別子を除去することをさらに含む、請求項２に記載の方法。
【請求項６】
これら少なくとも３つのセキュリティー状態の各々がインバウンドメッセージに含まれる送信者識別子及び受信者識別子に関連付けられること；及び、
伝達が許可された場合に、前記インバウンドメッセージにユーザーのためのインターフェースとして作用するように構成されたフッターを加えることを含む、請求項１に記載の方法。
【請求項７】
前記フッターが前記インバウンドメッセージに含まれる情報と、前記インバウンドメッセージに関連付けられたセキュリティー状態の情報と、のうちから選択された少なくとも１つの情報を含む、請求項６に記載の方法。
【請求項８】
前記フッターが前記フッターによって表される情報を更新するために調節可能である、請求項６に記載の方法。
【請求項９】
前記フッターの内容がユーザーによって調節される、請求項６に記載の方法。
【請求項１０】
決定されたセキュリティー状態に基づいて前記インバウンドメッセージの伝達が延期される、請求項６に記載の方法。
【請求項１１】
前記インバウンドメッセージがセキュリティー状態から免除されているかを決定すること；及び、
免除されている場合、前記インバウンドメッセージをセキュリティー免除に基づいて伝達することを含む、請求項１に記載の方法。
【請求項１２】
前記セキュリティー免除が、送信者に関連付けられた識別子と、受信者識別子に関連付けられたドメインと、同様なドメインを含む受信者識別子及び送信者識別子と、前記インバウンドメッセージが免除及び非免除受信者に送信された第２のメッセージへの返信メッセージであることと、のうちから選択される少なくとも１つに基づいている、請求項１１に記載の方法。
【請求項１３】
前記セキュリティー状態の決定が送信者に関連付けられた識別子及び受信者に関連付けられた識別子を含む以前のメッセージがいつ受信されたかの決定を含むことを含む、請求項１に記載の方法。
【請求項１４】
前記インバウンドメッセージと前記以前のメッセージの受信の間の期間が予め定義された時間より短い場合に、前記インバウンドメッセージを伝達することをさらに含む、請求項１３に記載の方法。
【請求項１５】
前記インバウンドメッセージに関連するセキュリティー状態が段階的に増大されたかを決定することを更に含む、請求項１に記載の方法。
【請求項１６】
セキュリティー状態が段階的に増大され、インバウンドメッセージが第１セキュリティー状態に関連付けられている場合、インバウンドメッセージに第１セキュリティー状態の代わりに第２セキュリティー状態が関連付けられる、請求項１５に記載の方法。
【請求項１７】
電子通信ネットワークに接続したユーザーへのアクセスを選択的に許可または拒絶するためのシステムであって：
電子通信ネットワーク上で送信者から送信者に関連付けられた識別子及び受信者に関連付けられた識別子を含むインバウンドメッセージを受信するように構成された受信機；及び、
前記インバウンドメッセージに関連付けられた少なくとも３つのセキュリティー状態の１つを決定するように構成されており、第１セキュリティー状態がインバウンドメッセージのユーザーへの伝達の許可を示すものであり、第２セキュリティー状態がインバウンドメッセージのユーザーへの伝達の拒絶を示すものであり、第３セキュリティー状態がインバウンドメッセージのユーザーへの伝達の条件付許可を示すものであり、これら少なくとも３つのセキュリティー状態の各々がインバウンドメッセージに含まれる送信者識別子及び受信者識別子に関連付けられるプロセッサーを備えるシステム。
【請求項１８】
前記プロセッサーが、受信者に関連付けられた識別子がユーザーによって事前に生成されたものであるか、そして受信者に関連付けられた識別子が複数のプロキシ識別子の中に存在しないかを決定するように構成された、請求項１７に記載のシステム。
【請求項１９】
前記インバウンドメッセージにユーザーに対するインターフェースとして作用するように構成されたフッターを加えるように構成されているプロセッサーを備える、請求項１７に記載のシステム。
【請求項２０】
前記フッターが、前記インバウンドメッセージに含まれる情報と、前記インバウンドメッセージに関連付けられたセキュリティー状態の情報と、のうちから選択された少なくとも１つの情報を含む、請求項１９に記載のシステム。
【請求項２１】
前記プロセッサーがさらに、決定されたセキュリティー状態に基づいて前記インバウンドメッセージの伝達を延期するように構成されている請求項１９に記載のシステム。
【請求項２２】
前記インバウンドメッセージがセキュリティー状態から免除されているかを決定し、前記セキュリティー免除に基づいて前記インバウンドメッセージを伝達するように構成されているプロセッサーを備える、請求項１７に記載のシステム。
【請求項２３】
前記セキュリティー免除が、送信者に関連付けられた識別子と、受信者識別子に関連付けられたドメインと、同様なドメインを含む受信者識別子及び送信者識別子と、前記インバウンドメッセージが免除及び非免除受信者に送信された第２のメッセージへの返信メッセージであることと、のうちから選択される少なくとも１つに基づいている、請求項２２に記載のシステム。
【請求項２４】
前記セキュリティー状態の決定が送信者に関連付けられた識別子及び受信者に関連付けられた識別子を含む以前のメッセージがいつ受信されたかの決定を含むプロセッサーを備える、請求項１７に記載のシステム。
【請求項２５】
前記プロセッサーがさらに、前記インバウンドメッセージと前記以前のメッセージの受信の間の期間が予め定義された時間より短い場合に、前記インバウンドメッセージを伝達するように構成されている、請求項２４に記載のシステム。
【請求項２６】
前記インバウンドメッセージに関連付けられたセキュリティー状態が段階的に増大したかを決定するように構成されているプロセッサーを備える、請求項１７に記載のシステム。
【請求項２７】
その中に格納された複数のインストラクションを有するコンピューターリード可能媒体上に存在するコンピュータープログラムであって、プロセッサーによって実行されたときに：
電子通信ネットワーク上で送信者から送信者に関連付けられた識別子及び受信者に関連付けられた識別子を含むインバウンドメッセージを受信すること；及び、
前記インバウンドメッセージに関連付けられた少なくとも３つのセキュリティー状態の１つを決定することであって、第１セキュリティー状態がインバウンドメッセージのユーザーへの伝達の許可を示すものであり、第２セキュリティー状態がインバウンドメッセージのユーザーへの伝達の拒絶を示すものであり、第３セキュリティー状態がインバウンドメッセージのユーザーへの伝達の条件付許可を示すものであり、これら少なくとも３つのセキュリティー状態の各々がインバウンドメッセージに含まれる送信者識別子及び受信者識別子に関連付けられることを生ずるコンピュータープログラム。
【請求項２８】
前記プロセッサーによって実行されたときに、受信者に関連付けられた識別子がユーザーによって事前に生成されたものであるか、そして受信者に関連付けられた識別子が複数のプロキシ識別子の中に存在しないかを決定することを生ずる請求項２７に記載のコンピュータプログラム。
【請求項２９】
伝達が許可された場合に、前記インバウンドメッセージにユーザーのためのインターフェースとして作用するように構成されたフッターを加えることを生ずる請求項２７に記載のコンピュータープログラム。
【請求項３０】
前記プロセッサーによって実行されたときに、前記インバウンドメッセージがセキュリティー状態から免除されているかを決定すること；及び、
前記インバウンドメッセージをセキュリティー免除に基づいて伝達することを生ずる請求項２７に記載のコンピュータープログラム。
【請求項３１】
前記プロセッサーによって実行されたときに、前記セキュリティー状態の決定が送信者に関連付けられた識別子及び受信者に関連付けられた識別子を含む以前のメッセージがいつ受信されたかの決定を含むことを生ずる請求項２７に記載のコンピュータープログラム。
【請求項３２】
前記プロセッサーによって実行されたときに、前記インバウンドメッセージに関連するセキュリティー状態が段階的に増大されたかを決定することを生ずる請求項２７に記載のコンピュータープログラム。